(57)【特許請求の範囲】
【請求項１】
ペン先（３）を前端に有するインキ収容管（４）の内部に、インキ（４１）及び該インキ（４１）の消費に伴って前進するグリス状の追従体（４２）を収容し、前記インキ収容管（４）を軸筒（２）の内部に収容し、前記軸筒（２）の前端より前記ペン先（３）を突出させ、前記軸筒（２）の後端部外面に尾栓（５）を着脱自在に螺着したボールペンであって、前記尾栓（５）が、前端が開口され且つ後端が閉塞された有底筒状の外筒部（５１）を備え、前記外筒部（５１）の内面を前記軸筒（２）の後端部外面に螺着させた際、前記外筒部（５１）の底壁（５１ａ）と前記軸筒（２）の後端とを軸方向に当接させ、前記外筒部（５１）の底壁（５１ａ）内面に、前端が開口され且つ後端が閉塞された有底筒状の内筒部（５２）を連設し、前記外筒部（５１）の内面を前記軸筒（２）の後端部外面に螺着させた際、前記内筒部（５２）の前端と前記インキ収容管（４）の後端とを軸方向に当接させたことを特徴とするボールペン。
【請求項２】
前記外筒部（５１）の内面を前記軸筒（２）の後端部外面に螺着させた際、前記外筒部（５１）の前端と軸筒（２）の外壁とを軸方向に非接触状態にさせた請求項１記載のボールペン。
【発明の詳細な説明】
【０００１】
【発明の属する技術分野】
本発明は、ボールペンに関する。さらに詳細には、ペン先を前端に有するインキ収容管の内部に、インキ及びグリス状の追従体を収容し、前記インキ収容管を軸筒の内部に収容し、前記軸筒の後端部外面に尾栓を着脱自在に螺着したボールペンに関する。尚、本発明で「前」とはペン先側を指し、「後」とは尾栓側を指す。
【０００２】
【従来の技術】
従来のボールペンにおいて、ボールペンレフィルを交換可能とする目的で、軸筒の後端部外面に尾栓を着脱自在に螺着するタイプのものが広く知られている。前記タイプにおいて、尾栓は、雌ねじ部を内面に有する外筒部を備え、前記外筒部を軸筒の後端部外面の雄ねじ部に螺合させる構造を採用している。
【０００３】
しかし、前記従来のボールペンは、尾栓の外筒部の前端と軸筒の外壁（具体的には、軸筒の外壁に形成した段部）とを軸方向に当接させ、軸方向の螺合量を規制している。前記構造において、外筒部の前端が薄肉の場合、前記外筒部の前端が、軸筒外壁との軸方向の当接により径方向外方に押し広げられ、安定した当接状態を適正に維持できないおそれがある。また、前記従来のボールペンは、尾栓の外筒部の前端と軸筒の外壁との当接部分が外部に露出しているため、その当接部分に塵等の異物が付着することにより、前記当接状態を適正に維持できないおそれがある。
【０００４】
そのため、前記従来のボールペンにおいて、もし、ボールペン全体に衝撃等が加わり、インキ収容管内のインキ及び追従体が後方に移動し、前記インキ及び追従体が、インキ収容管の後端開口部から漏出した場合、前記漏出したインキ及び追従体が、前記軸筒の後端開口部から、尾栓の内面の雌ねじ部と軸筒の外面の雄ねじ部との間を通り、さらに、尾栓の外筒部の前端と軸筒の外壁との間（即ち前記当接部分）を通って外部に漏出するおそれがある。
【０００５】
本発明は前記従来の問題点を解決するものであって、衝撃等によってインキ収容管の内部のインキ及び追従体が後方に移動したとしても、前記インキ及び追従体が尾栓内面と軸筒後端部外面との間の螺合部を通って外部に漏出するおそれがないボールペンを提供しようとするものである。
【０００６】
【課題を解決するための手段】
〔１〕本発明は、ペン先３を前端に有するインキ収容管４の内部に、インキ４１及び該インキ４１の消費に伴って前進するグリス状の追従体４２を収容し、前記インキ収容管４を軸筒２の内部に収容し、前記軸筒２の前端より前記ペン先３を突出させ、前記軸筒２の後端部外面に尾栓５を着脱自在に螺着したボールペン１であって、前記尾栓５が、前端が開口され且つ後端が閉塞された有底筒状の外筒部５１を備え、前記外筒部５１の内面を前記軸筒２の後端部外面に螺着させた際、前記外筒部５１の底壁５１ａと前記軸筒２の後端とを軸方向に当接させ、前記外筒部５１の底壁５１ａ内面に、前端が開口され且つ後端が閉塞された有底筒状の内筒部５２を連設し、前記外筒部５１の内面を前記軸筒２の後端部外面に螺着させた際、前記内筒部５２の前端と前記インキ収容管４の後端とを軸方向に当接させたこと（請求項１）を要件とする。
【０００７】
（作用）
外筒部５１の内面を前記軸筒２の後端部外面に螺着させた際、軸筒２の後端と外筒部５１の底壁５１ａとを軸方向に当接させたことにより、尾栓５と軸筒２とを軸方向に強い力で当接させることができ、しかも、尾栓５と軸筒２との間の当接部分が外部に露出していないため、その当接部分に塵等の異物が付着することがない。そのため、尾栓５と軸筒２との軸方向の安定した当接状態が適正に維持される。
【０００８】
したがって、もし、本発明ボールペン１に衝撃等が加わって、インキ収容管４内のインキ４１及び追従体４２が、後方に移動し、インキ収容管４の後端開口部から漏出したとしても、前記インキ収容管４から漏出したインキ４１及び追従体４２は、外筒部５１の底壁５１ａと軸筒２の後端との軸方向の適正な当接により、軸筒２の後端部外面と外筒部５１内面との間の螺合部６に移動することが阻止される。その結果、前記インキ４１及び追従体４２が、尾栓５内面と軸筒２の後端部外面の間の螺合部６の隙間を通って外部に漏出することを抑止できる。
【０００９】
【００１０】
（作用）
内筒部５２の前端とインキ収容管４の後端とを軸方向に当接させたことにより、もし、インキ４１及び追従体４２が、衝撃等によりインキ収容管４の後端開口部から漏出したとしても、前記内筒部５２内部にインキ４１及び追従体４２を収容させることができるので、前記請求項１の外筒部５１の底壁５１ａと軸筒２の後端との当接による漏出阻止に加え、より一層、漏出事故を防止できる。
【００１１】
〔２〕前記請求項１記載のボールペン１において、前記外筒部５１の内面を前記軸筒２の後端部外面に螺着させた際、前記外筒部５１の前端と軸筒２の外壁とを軸方向に非接触状態にさせること（請求項２）が好ましい。
【００１２】
（作用）
外筒部５１の前端と軸筒２の外壁とを軸方向に非接触状態にさせること（例えば、外筒部５１の前端と、軸筒２の外壁の段部との間に軸方向の隙間８を設けること、または、外筒部５１の前端内径を、軸筒２の螺合部前方の外径よりも大きく設定すること等）により、外筒部５１の底壁５１ａと軸筒２の後端とを軸方向に強い力で確実に当接させることができる。それにより、より一層、インキ４１及び追従体４２の漏出を防止できる。
【００１３】
【発明の実施の形態】
本発明の実施の形態について図面に従って説明する。
【００１４】
（第１実施例）
図１に本発明のボールペン１の第１実施例を示す。本実施例のボールペン１は、前端にペン先３が圧入保持されるペン先ホルダー７と、該ペン先ホルダー７が前端開口部に圧入固着されるインキ収容管４と、該インキ収容管４が内部に収容される軸筒２と、該軸筒２の後端開口部に着脱自在に螺着される尾栓５とを備える。
【００１５】
前記インキ収容管４は、合成樹脂の押出成形により得られる、両端が開口された円筒体である。前記インキ収容管４の前端開口部は、ペン先３を保持したペン先ホルダー７が圧入固着され、一方、前記インキ収容管４の後端は、空気流通孔として開口される。前記インキ収容管４の内部には、インキ４１（例えば、剪断減粘性が付与された水性ゲルインキ、または中粘度の油性インキ）と、該インキ４１の後端にインキ４１の消費に伴って前進するグリス状の追従体４２とが充填される。それにより、ボールペンレフィルが構成される。前記ボールペンレフィルは、軸筒２内から取り出し交換可能である。
【００１６】
前記ペン先３は、前端にボールを回転可能に抱持する金属製本体からなるボールペンチップである。前記ペン先３は、ボール受け座により幾つかのタイプがあり、例えば、ボール受け座を、金属製本体の側壁を内方へ押圧塑性変形させることにより形成するタイプ、ボール受け座を、金属製本体の内壁を切削加工することにより形成するタイプ、ボール受け座を合成樹脂等の別部材により構成するタイプ等を挙げることができる。
【００１７】
前記ペン先ホルダー７は、合成樹脂の射出成形により得られる。前記ペン先ホルダー７は、内部に軸方向に貫通する孔（即ちペン先取付孔及びその後方のインキ流通孔）を有する筒体である。前記ペン先ホルダー７は、前部と、該前部の後方に形成した鍔部７１と、該鍔部７１の後方に形成した後部とからなる。前記ペン先ホルダー７の前部は、その前端に前記ペン先３が固着され、前記ペン先３と共に軸筒２の前端孔２１より外部に突出される。前記ペン先ホルダー７の後部は、インキ収容管４の前端開口部に圧入固着される。前記ペン先ホルダー７の鍔部７１は、インキ収容管４の前端面に当接され、インキ収容管４の外径と略同一の外径を有する。
【００１８】
また、前記ペン先ホルダー７の前部外面には、複数本の縦リブ７２が一体に形成され、それが軸筒２の前端孔２１内面と圧接し、それにより、ペン先ホルダー７の前部外面と軸筒２の前端孔２１内面との間に通気路（即ち外部と連通する空気孔）が形成される。また、前記インキ収容管４の外面と軸筒２の内面との間には、環状の隙間が形成され、それが、インキ収容管４の後端開口部と連通する通気路となる。
【００１９】
前記軸筒２は、合成樹脂の射出成形により得られ、先細状の前端部を備え、且つ、内部に軸方向に貫通する孔を有する円筒体である。前記軸筒２の前端部内面には、傾斜面を備える複数本の縦リブ２２が一体に形成され、前記縦リブ２２の傾斜面に、ペン先ホルダー７の鍔部７１が圧接される。それにより、ボールペンレフィルの前方移動が規制されると共に、軸筒２の内面と前記鍔部７１の間に通気路が形成される。また、前記軸筒２の後端部外面は縮径され、該軸筒２の後端部外面には雄ねじ部が形成され、さらに、前記雄ねじ部の前方には段部２３が形成される。
【００２０】
尚、前記通気路は、前記実施例に限定されるものではなく、例えば、鍔部７１の外面に溝を設けたり、インキ収容管４の外面に溝を設ける構成であってもよい。また、前記空気孔は、前記実施例に限定されるものではなく、例えば、軸筒２の前端孔２１の内面に溝を設けたり、又は軸筒２の側壁に孔を貫設する構成であってもよい。
【００２１】
前記尾栓５は、合成樹脂の射出成形により得られ、前端が開口され且つ後端が閉塞された有底円筒状の内筒部５２と、該内筒部５２を内部に有し、前端が開口され且つ後端が閉塞された有底円筒状の外筒部５１とが、同心状に一体に連設されてなる。
【００２２】
前記外筒部５１の内面には、前記軸筒２の後端部外面の雄ねじ部と螺合する雌ねじ部が形成される。尾栓５を軸筒２後端部に螺着した際、前記段部２３と前記外筒部５１の前端とが、軸方向の隙間８を有するよう設定される。
【００２３】
また、前記尾栓５の外筒部５１と内筒部５２との間には、環状の底壁５１ａが形成され、該底壁５１ａにより、外筒部５１と内筒部５２とが連結される。また、尾栓５を軸筒２後端部に螺着した状態では、前記外筒部５１の環状の底壁５１ａが、軸筒２の後端と軸方向且つ環状に圧接している。それにより、万一、内筒部５２の内部からインキ４１及び追従体４２が溢出することがあったとしても、尾栓５の外筒部５１内面と軸筒２の後端部外面との間（即ち螺合部６の隙間）を通ってインキ４１及び追従体４２が漏出する事故を回避することができる。
【００２４】
前記尾栓５の内筒部５２の前端は、インキ収容管４の後端と周状に接触するよう、インキ収容管４の後端と略一致する大きさに設定（即ち、内筒部５２の前端の外径をインキ収容管４の後端の内径より大きく設定し、且つ、内筒部５２の前端の内径をインキ収容管４の後端の外径より小さく設定）される。前記内筒部５２の前端には、２個の四角形状の切り欠き５２ｂが対向位置に設けられる。前記切り欠き５２ｂは、空気流通孔として機能し、インキ収容管４の後端開口部とインキ収容管４の外部とを通気可能に連通させる。前記切り欠き５２ｂを除く内筒部５２の前端は、インキ収容管４の後端と周状に当接する。
【００２５】
また、前記尾栓５は、前記内筒部５２の前端部を外筒部５１の前端部よりも前方に突出させているため、尾栓５を軸筒２の後端部外面に螺着させる際、内筒部５２を軸筒２の後端開口部にスムーズに挿入させることができ、組立性が向上する。
【００２６】
（第２実施例）
図２に第２実施例（第１実施例の変形例）を示す。本実施例において、第１実施例と異なる点は、尾栓５の内筒部５２の前端に複数の凸部５２ｃ（例えば対向位置に２個）を設け、前記凸部５２ｃとインキ収容管４の後端とを軸方向に当接させると共に、インキ収容管４の後端と内筒部５２前端との間に空気流通用の隙間を形成した点にある。尚、他の構成は第１実施例同様であるため、説明は省略する。
【００２７】
【発明の効果】
請求項１により、衝撃等によってインキ収容管の内部のインキ及び追従体が後方に移動したとしても、前記インキ及び追従体が尾栓内面と軸筒の後端部外面との間の螺合部を通って外部に漏出するおそれがない。
【００２８】
請求項１により、内筒部内部にインキ及び追従体を収容させることができるので、前記請求項１の外筒部の底壁と軸筒の後端との当接による漏出阻止に加え、より一層、インキ及び追従体の漏出事故を防止できる。
【００２９】
請求項２により、外筒部の底壁と軸筒の後端とを軸方向に強い力で確実に当接させることができ、それにより、より一層、インキ及び追従体の漏出を防止できる。
【図面の簡単な説明】
【図１】本発明ボールペンの第１実施例の縦断面図である。
【図２】本発明ボールペンの第２実施例の要部縦断面図である。
【符号の説明】
１ ボールペン
２ 軸筒
２１ 前端孔
２２ 縦リブ
２３ 段部
３ ペン先
４ インキ収容管
４１ インキ
４２ 追従体
５ 尾栓
５１ 外筒部
５１ａ 底壁
５２ 内筒部
５２ａ 底壁
５２ｂ 切り欠き
５２ｃ 凸部
６ 螺合部
７ ペン先ホルダー
７１ 鍔部
７２ 縦リブ
８ 隙間
【図１】
0004550245.tif 000002
【図２】
0004550245.tif 000003